(57)【要約】【課題】従来、圃場を耕耘して整地して畝を形成した後に、畝に苗の移植作業をするのが慣用的に行われている作業形態であった。ところが、圃場を耕耘や整地や畝を形成しないで、苗の移植作業をすることが、耕耘及び整地及び畝形成作業工数を減らして全体の作業効率を良くする作業形態として考えられるようになった。然しながら、水稲収穫後の圃場は、乾いて硬くなっており、圃場表面にはひび割れも発生していて、苗の移植作業を従来の機械で行なうことはできなかった。そこで、圃場を耕耘や整地や畝の形成を行わないで、苗の移植作業が適切に行なえる苗移植機を得ることを課題とする。【解決手段】駆動輪１１を装備した走行車体１に耕耘装置２２を設け、該耕耘装置２２の後方に苗植付部２５を配置し、耕耘装置２２の少なくとも上部を覆うカバー体２４を苗植付部２５の側方まで後方に向けて延設した苗移植機。【選択図】図１
2009077636.tif 000002
【特許請求の範囲】
【請求項１】
駆動輪（１１）を装備した走行車体（１）に耕耘装置（２２）を設け、該耕耘装置（２２）の後方に苗植付部（２５）を配置し、耕耘装置（２２）の少なくとも上部を覆うカバー体（２４）を苗植付部（２５）の側方まで後方に向けて延設したことを特徴とする苗移植機。
【請求項２】
カバー体（２４）を苗植付部（２５）の左右両側方まで後方に向けて延設したことを特徴とする請求項１記載の苗移植機。
【請求項３】
耕耘装置（２２）と苗植付部（２５）とで一つの苗植付作業部（１２）を構成し、該苗植付作業部（１２）を機体左右方向に複数個設けると共に、該苗植付作業部（１２）を機体左右方向に位置調節自在に構成したことを特徴とする請求項１又は請求項２記載の苗移植機。
【請求項４】
耕耘装置（２２）と苗植付部（２５）との間に作溝体（２６）を設け、苗植付部（２５）の後方に鎮圧装置（２７）を設けたことを特徴とする請求項１、請求項２、又は請求項３記載の苗移植機。
【発明の詳細な説明】
【技術分野】
【０００１】
本発明は、畑用の苗移植機の技術分野に属する。
【背景技術】
【０００２】
従来、圃場に苗を移植する作業としては、圃場を耕耘して整地して畝を形成した後に、畝に苗の移植作業をするのが慣用的に行われている作業形態であった。
【特許文献１】特開２００４−２４０９７号公報
【発明の開示】
【発明が解決しようとする課題】
【０００３】
ところが、水稲の栽培を行って収穫し、その後で、圃場を耕耘や整地や畝を形成しないで、苗の移植作業をすることが、耕耘及び整地及び畝形成作業工数を減らして全体の作業効率を良くする作業形態として考えられるようになった。然しながら、水稲収穫後の圃場は、乾いて硬くなっており、圃場表面にはひび割れも発生していて、苗の移植作業を従来の機械で行なうことはできなかった。そこで、本発明は、圃場を耕耘や整地や畝の形成を行わないで、苗の移植作業が適切に行なえる苗移植機を得ることを課題とする。
【課題を解決するための手段】
【０００４】
本発明は、上記課題を解決するために、次の技術的手段を講じた。
請求項１に記載の発明は、駆動輪１１を装備した走行車体１に耕耘装置２２を設け、該耕耘装置２２の後方に苗植付部２５を配置し、耕耘装置２２の少なくとも上部を覆うカバー体２４を苗植付部２５の側方まで後方に向けて延設したことを特徴とする苗移植機とした。
【０００５】
従って、請求項１に記載の苗移植機は、駆動輪１１を駆動回転させて機体を前進させ苗植付部２５にて苗を圃場に植付ける際に、耕耘装置２２が苗を植付ける位置の圃場を耕耘し、且つ、耕耘装置２２の耕耘時に持ち上げられた土がカバー２４に案内されて後方に移動し苗植付部２５の側方に落下するので、苗の根部は適切に覆土されて適切に苗を圃場に植付けることができる。
【０００６】
請求項２に記載の発明は、カバー体２４を苗植付部２５の左右両側方まで後方に向けて延設したことを特徴とする請求項１記載の苗移植機とした。
従って、耕耘装置２２の耕耘時に持ち上げられた土がカバー２４に案内されて後方に移動し苗植付部２５の左右両側方に落下するので、苗の根部は更に適切に覆土されて適切に苗を圃場に植付けることができる。
【０００７】
請求項３に記載の発明は、耕耘装置２２と苗植付部２５とで一つの苗植付作業部１２を構成し、該苗植付作業部１２を機体左右方向に複数個設けると共に、該苗植付作業部１２を機体左右方向に位置調節自在に構成したことを特徴とする請求項１又は請求項２記載の苗移植機とした。
【０００８】
従って、請求項１又は請求項２記載の作用に加えて、苗植付作業部１２を機体左右方向に位置調節することによって、苗の植付け条間が必要に応じて調節できる複数条植えの苗移植機を得ることができる。
【０００９】
請求項４に記載の発明は、耕耘装置２２と苗植付部２５との間に作溝体２６を設け、苗植付部２５の後方に鎮圧装置２７を設けたことを特徴とする請求項１、請求項２、又は請求項３記載の苗移植機とした。
【００１０】
従って、請求項１、請求項２、又は請求項３記載の作用に加えて、圃場を耕耘装置２２にて耕耘した後に作溝体２６により苗植付溝を形成し、該苗植付溝に苗植付部２５にて苗を植付けて、鎮圧装置２７にて苗の根部の土を鎮圧するので、苗を圃場に適切に植付けることができる。
【発明の効果】
【００１１】
本発明により、圃場を耕耘や整地や畝の形成を行わないで、苗の移植作業が適切に行なえる苗移植機を得ることができて、課題を適切に解決することができる。
【発明を実施するための最良の形態】
【００１２】
この発明の一実施形態としての苗移植機を以下に説明する。尚、以下の図示例についての説明で前又は後というときは、操縦ハンドル２を配置した側を後とし、その反対側、即ちエンジン１０を配置した側を前という。そして、右又は左というときは、機体後部において機体前部側を前側として立つ作業者から見て右手側を右とし、左手側が左としている。
【００１３】
苗移植機は、一般的な管理機よりなる走行車体１の操縦ハンドル２側の後部ヒッチ３に、上下高さ調節自在に設けた作業座席４、ステップ５、支持車輪６及び作業座席４の左右側方に配置した左右予備苗載台７を設けた座席部８を装着ピン９にて左右回動自在に装着して構成している。
【００１４】
走行車体１は、エンジン１０と、該エンジン１０の動力が伝達されて駆動回転する左右一対の左右駆動輪１１，１１と、該左右駆動輪１１，１１よりも機体側面視で後方に配置された苗植付作業部１２とを備えている。
【００１５】
エンジン１０の後部には、ミッションケース１３を配置し、そのミッションケース１３は、その左側部からエンジン１０の左側方に延びるケース部分１３ａを有し、これがエンジン１０の左側部と連結している。このケース部分１３ａにエンジン１０の出力軸とミッションケース１３の入力軸との間に設けた伝動ベルトが設けられており、ミッションケース１３内の伝動機構に動力が伝達する構成となっている。
【００１６】
前記操縦ハンドル２は、上下位置調節自在にミッションケース１３の上部に基部を装着したハンドルフレーム１４の後端部に設けられている。操縦ハンドル２は、左右グリップ部２ａ，２ａが設けられており、該左右グリップ部２ａ，２ａの下方には左右サイドクラッチレバー１５，１５が設けられている。この左右サイドクラッチレバー１５，１５を作業座席４に着座した作業者が指で握り上げ操作すると、その操作した側の駆動輪１１のサイドクラッチが切れて、機体はサイドクラッチレバー１５を操作した側に曲がって進行方向を変更できる構成となっている。尚、１６は作業クラッチ操作レバーで、苗植付作業部１２への動力を入り切り操作できる。また、１７は変速レバーであって、ミッションケース１３内の変速装置を操作して、機体の前進速度を変更すると共に、機体を後進させることもできる。
【００１７】
次に、苗植付作業部１２について説明する。
ミッションケース１３の後部に下方に向けて伝動ケース１８を延設し、該伝動ケース１８の下部に両側に六角軸よりなる駆動軸１９を設け、エンジン１０の動力にてミッションケース１３内の変速装置及び作業クラッチを介して該駆動軸１９を駆動回転する構成となっている。左右駆動軸１９には、各々苗植付作業部１２，１２が位置決めピン２０にて左右位置が固定されて装着されている。尚、左右駆動軸１９には、前記位置決めピン２０を挿し込む貫通孔１９ａ…が所定のピッチで設けられており、左右苗植付作業部１２，１２は左右位置調節自在に左右駆動軸１９に装着することができ、苗の植付条間を自由に調節できる構成となっている。
【００１８】
苗植付作業部１２は、駆動軸１９の六角軸に係合する六角孔を有する筒部２１の外周に９０度ピッチで基部が取り付けられて駆動軸１９の回転によってイ方向に回転する耕耘装置である耕耘爪２２…と、筒部２１の外周にベアリング２３にて相対回転自在に設けたカバー体２４と、カバー体２４の後部凹み部に取り付けられた苗植付部である円筒状の苗案内体２５と、該苗案内体２５下部前面部に設けられた苗植付溝を形成する作溝体２６と、カバー体２４の後部に装着された鎮圧装置２７とによって構成されている。尚、カバー体２４の上部は、機体に上部が溶接固着された左右支持案内体２８によって左右位置調節自在に支持されている。また、苗案内体２５の下部後方部は、苗が通過できる開口部２５ａが形成されている。
【００１９】
鎮圧装置２７は、カバー体２４の後部に支持体２９により支持された横棒３０に左右鎮圧輪３１を遊転自在に軸支した鎮圧輪フレーム３２を上下回動自在に装着している。そして、鎮圧輪フレーム３２の回動基部３２ａと相対回動は自由であるが左右移動は一体的に移動する筒部３２ｂがカバー体２４と一体の支持体２９に連結具３３にて連結されており、苗の植付条間を調節すべく左右苗植付作業部１２，１２を左右位置調節すると、その左右調節に連動して鎮圧輪３１も左右調節されて、常に植付ける苗の左右側方位置を鎮圧できる構成となっている。
【００２０】
３４は機体の旋回時等に左右の鎮圧輪フレーム３２，３２を共に上動させて鎮圧輪３１を非鎮圧状態にする持ち上げ機構であって、左右の鎮圧輪フレーム３２，３２の下方に配置された横杆３５と、該横杆３５の左右両側を前記横棒３０に回動自在に支持する左右支持アーム３６，３７と、右支持アーム３７に連結具にて連結された持上げ用操作レバー３８と、該持上げ用操作レバー３８を上下スライド自在に支持する円筒部よりなるカバー体２４の後部に固定された支持部３９とによって構成されている。そして、持上げ用操作レバー３８の中途部には段部３８ａが形成されており、植付け作業時は該段部３８ａが支持部３９よりも下方に位置しており、左右の鎮圧輪フレーム３２，３２は各々自由に上下動して各鎮圧輪３１は植付ける苗の左右側方位置を鎮圧する。機体を旋回させる際などには、作業者が持上げ用操作レバー３８を上方に引き上げて筒部よりなる支持部３９に持上げ用操作レバー３８の段部３８ａを引っ掛けて持上げ用操作レバー３８を上方に引き上げ状態で保持する。すると、持上げ用操作レバー３８の上方への引き上げにより、横杆３５が上動して左右の鎮圧輪フレーム３２，３２を共に上方に回動させて各鎮圧輪３１を非鎮圧状態まで上動させて固定できる。
【００２１】
次に、水稲を栽培して収穫した後の耕耘及び整地していない状態の圃場で、上記の苗移植機を用いた苗の移植作業を説明する。
先ず、作業者は、機体を圃場に入れて左右苗植付作業部１２，１２の左右位置を調節して植付け条間を決める。次に、左右予備苗載台７にセルトレイにて育苗した苗を載置し、作業座席４に着座してエンジン１０を始動する。そして、変速レバー１７を操作して機体を前進させると共に、作業クラッチ操作レバー１６にて左右苗植付作業部１２，１２への動力を入り操作する。すると、駆動軸１９の回転によって左右苗植付作業部１２，１２の各耕耘爪２２…はイ方向に回転し、苗を植付ける位置の圃場を耕耘すると共に、耕耘時に持ち上げられた土はカバー２４に案内されて後方に移動し苗案内体２５の下部左右側方に落下する。そして、各耕耘爪２２…にて耕耘された圃場に苗案内体２５下部前面部に設けられた作溝体２６が、苗植付溝を形成する。この時、作業者が苗案内体２５の上部開口２５ｂから左右予備苗載台７に載置された一株分の苗を投入すると、苗は苗案内体２５により案内されて上記作溝体２６が形成した苗植付溝にその根部が落下する。その時、前記のように各耕耘爪２２…の耕耘時に持ち上げられた土がカバー２４に案内されて後方に移動し苗案内体２５の下部左右側方に落下しているので、苗の根部は適切に覆土される。そして、鎮圧輪３１…にて苗の左右側方位置を鎮圧して苗が適切に圃場に植付けられる。尚、苗の茎葉部は、苗案内体２５の下部後方部に形成した開口部２５ａを通過する。
【００２２】
尚、作業者は、左右サイドクラッチレバー１５，１５を操作して機体の進行方向を修正できる。また、機体の旋回時には、作業者は、持上げ用操作レバー３８を上方に引き上げて鎮圧輪３１…を非作業状態まで上動させて、操縦ハンドル２を上方に持ち上げて、左右駆動輪１１，１１回りに左右苗植付作業部１２，１２を圃場面から離れるまで上動させ、旋回方向のサイドクラッチレバー１５を操作すれば、作業者は作業座席４に着座したまま機体の旋回を行なうことができる。
【００２３】
図５〜図７は、植付ける苗の覆土を更に適切なものとする他の例を示す。
各耕耘爪２２…がイ方向に回転して苗を植付ける位置の圃場を耕耘すると共に、耕耘時に持ち上げられた土がカバー２４に案内されて後方に移動し苗案内体２５の下部左右側方に落下する際に、カバー２４の内部で苗案内体２５の下部よりも前方位置に細かい土は通過するが大きな土塊は通過しないように杆体よりなる篩い部４０を設けると共に、篩い部４０を通過した細かい土を苗案内体２５の下部左右側方に案内するガイド体４１を設けている  。
【００２４】
このように構成すると、駆動軸１９の回転によって左右苗植付作業部１２，１２の各耕耘爪２２…がイ方向に回転し、苗を植付ける位置の圃場を耕耘すると共に、耕耘時に持ち上げられた土はカバー２４に案内されて後方に移動し篩い部４０を通過した細かい土のみが苗案内体２５の下部左右側方にガイド体４１により適切に案内されて落下する。そして、各耕耘爪２２…にて耕耘された圃場に苗案内体２５下部前面部に設けられた作溝体２６が、苗植付溝を形成する。この時、作業者が苗案内体２５の上部開口２５ｂから左右予備苗載台７に載置された一株分の苗を投入すると、苗は苗案内体２５により案内されて上記作溝体２６が形成した苗植付溝にその根部が落下する。その時、篩い部４０を通過した細かい土のみが苗案内体２５の下部左右側方にガイド体４１により適切に案内されて落下しているので、苗の根部は細かい土により更に適切に覆土され、良好な苗の植付け作業が行なえる。
【００２５】
図８は、ステップ５の他の例を示す。
座席部８の支持車輪を左右回動自在のキャスター６とし、該キャスター６の左右回動自在の支持部６ａにステップ５を設けた構成としている。
【００２６】
このように構成すると、作業座席４に着座した作業者は左右両足をステップ５に置いて作業をしているが、機体の進行方向が多少ずれた場合に、ステップ５に置いた左右両足でキャスター６を左右回動操作して進行方向の修正が容易に行なえ、作業性が良い。また、支持車輪を左右回動自在のキャスター６とすることにより、機体旋回時にキャスター６が自動的に適切な旋回が行える方向に回動するので、良好な旋回作業が行える。
【００２７】
図９は玉ねぎ用の播種装置を示す。
玉ねぎの種子は小さいので、通常、コーティング材で種子をコーティングしたものを用いて播種する。５０はセルトレイ５１を所定のピッチで移送する（１ポットＰ分づつ移送する）移送ベルトであって、播種装置５２の前工程でセルトレイ５１の各ポットＰに床土詰め装置にて床土詰め作業が行なわれ、その後播種穴形成装置にて播種穴形成作業が行なわれた状態のセルトレイ５１が移送されて来て、播種作業後に覆土装置にて覆土作業と灌水装置にて灌水作業が行なわれる。
【００２８】
播種装置５２は、玉ねぎのコーティング種子を貯留する種子ホッパ５３と、種子ホッパ５３の下方に形成された排出口５４（排出口５４はスライド蓋板５５にて開度調節自在に構成されている）と、排出口５４から出てきたコーティング種子を１粒づつ繰出し穴に受けて各ポットＰに１粒づつ播種する繰出しロール５６と、繰出しロール５６の繰出し穴にコーティング種子が２粒以上入っている場合には余分なコーティング種子を掻き出して繰出し穴のコーティング種子を１粒にする掻き出しブラシ５７と、掻き出しブラシ５７にて掻き出したコーティング種子を収容する種子収容箱５８とによって構成されている一般的な構成であるが、特に、繰出しロール５６に対向して静電気防止剤（陽イオン系界面活性剤）を噴霧する噴霧装置５９を設けている。
【００２９】
玉ねぎのコーティング種子は非常に小さいので、コーティング種子が静電気を帯びているとポットＰに播種するコーティング種子が静電気によりポットＰ内に落下せずに異なる方向に飛散してしまって、ポットＰ内にコーティング種子が播種できないような事態が発生する。そこで、噴霧装置５９により静電気防止剤（陽イオン系界面活性剤）を繰出しロール５６に噴霧して、繰出しロール５６に静電気防止剤（陽イオン系界面活性剤）を塗布し、繰出しロール５６の繰出し穴に収納したコーティング種子に静電気防止剤（陽イオン系界面活性剤）が付着して、コーティング種子の静電気がなくなるようにする。すると、前記のような静電気による悪影響がなくなり、各ポットＰ内にコーティング種子を１粒づつ適切に播種することができる。
【００３０】
尚、上記の静電気防止剤（陽イオン系界面活性剤）を噴霧する噴霧装置５９に換えて、掻き出しブラシ５７のブラシを静電気防止剤（陽イオン系界面活性剤）を含有した素材で形成して、コーティング種子の静電気をとるようにしても良く、また、種子ホッパ５３や排出口５４や繰出しロール５６の覆い部材を静電気防止剤（陽イオン系界面活性剤）を含有した素材で形成して、コーティング種子の静電気をとるようにしても良い。更には、コーティング種子のコーティング材に静電気防止剤（陽イオン系界面活性剤）を含有させてコーティング種子が静電気を帯びないようにしても良い。
【図面の簡単な説明】
【００３１】
【図１】苗移植機の側面図である。
【図２】苗移植機の要部の作用説明用一部断面平面図である。
【図３】苗移植機の要部の背面図である。
【図４】苗移植機の要部の作用説明用平面図である。
【図５】他の例を示す要部の側面図である。
【図６】他の例を示す要部の一部断面平面図である。
【図７】他の例を示す要部の背面図である。
【図８】他の例を示す苗移植機の側面図である。
【図９】播種装置の作用説明用の一部断面側面図である。
【符号の説明】
【００３２】
１  走行車体
１１  駆動輪
１２  苗植付作業部
２２  耕耘装置（耕耘爪）
２４  カバー体
２５  苗植付部（苗案内体）
２６  作溝体
２７  鎮圧装置
【図１】
2009077636.tif 000003
【図２】
2009077636.tif 000004
【図３】
2009077636.tif 000005
【図４】
2009077636.tif 000006
【図５】
2009077636.tif 000007
【図６】
2009077636.tif 000008
【図７】
2009077636.tif 000009
【図８】
2009077636.tif 000010
【図９】
2009077636.tif 000011